(57)【要約】【課題】本発明は、イヤホンのコネクタ等を介して外部アンテナを接続する場合でも、十分な特性を確保することができるようにする。【解決手段】本発明は、アンテナ入力端子（１）及びアース端子（１０）以外の端子（３、６）に、アンテナ入力端子（１）とアース端子（１０）との間のリアクタンスを調整するリアクタンス調整回路３０を設ける。【選択図】        図１
2010068169.tif 000002
【特許請求の範囲】
【請求項１】
外部装置を接続するコネクタを有し、内蔵のチューナーにより所望の放送波を受信する本体装置と、
前記コネクタを介して前記本体装置に接続され、前記コネクタのアンテナ入力端子を介して、アンテナとして機能する部位を前記チューナーのアンテナ入力端に接続する外部アンテナとを有し、
前記本体装置は、
前記コネクタのアース端子を接地し、
前記外部アンテナは、
前記アンテナ入力端子及び前記アース端子とは異なる端子と、前記アース端子との間に、前記アンテナ入力端子と前記アース端子との間のリアクタンスを調整するリアクタンス調整回路が設けられた
受信装置。
【請求項２】
前記本体装置は、
前記コネクタの外部機器検出用端子の電位を判定して、前記コネクタへの前記外部装置の接続を検出し、
前記リアクタンス調整回路を配置する端子が、前記外部機器検出用端子である
請求項１に記載の受信装置。
【請求項３】
前記本体装置は、
前記コネクタの伝送用端子を介して信号及び又は電力を伝送し、
前記外部アンテナは、
前記伝送用端子に接続されて、前記信号及び又は電力を伝送するケーブルを有する
請求項１に記載の受信装置。
【請求項４】
コネクタを介してチューナーを有する本体装置に接続され、前記コネクタのアンテナ入力端子を介して、アンテナとして機能する部位を前記チューナーのアンテナ入力端に接続し、
前記コネクタのアース端子及び前記アンテナ入力端子とは異なる端子と、前記アース端子との間に、前記アンテナ入力端子と前記アース端子との間のリアクタンスを調整するリアクタンス調整回路が設けられた
アンテナ。
【請求項５】
コネクタを介してチューナーを有する本体装置に一端が接続され、他端に外部アンテナが接続され、前記コネクタのアンテナ入力端子を介して、前記外部アンテナを前記チューナーのアンテナ入力端に接続し、
前記コネクタのアース端子及び前記アンテナ入力端子とは異なる端子と、前記アース端子との間に、前記アンテナ入力端子と前記アース端子との間のリアクタンスを調整するリアクタンス調整回路が設けられた
中継ケーブル。
【請求項６】
コネクタを介してチューナーを有する本体装置に一端が接続され、前記本体装置の信号及び又は電力を伝送し、
前記コネクタのアンテナ入力端子を介して、アンテナとして機能する部位を前記チューナーのアンテナ入力端に接続し、
前記コネクタのアース端子及び前記アンテナ入力端子とは異なる端子と、前記アース端子との間に、前記アンテナ入力端子と前記アース端子との間のリアクタンスを調整するリアクタンス調整回路が設けられた
中継ケーブル。
【発明の詳細な説明】
【技術分野】
【０００１】
本発明は、受信装置、アンテナ及び中継ケーブルに関し、例えばディジタルテレビジョン放送等を受信可能な携帯電話に適用することができる。本発明は、アンテナ入力端子及びアース端子とは異なる端子に、アンテナ入力端子とアース端子との間のリアクタンスを調整するリアクタンス調整回路を設けることにより、イヤホンのコネクタ等を介して外部アンテナを接続する場合でも、十分な特性を確保することができるようにする。
【背景技術】
【０００２】
従来、テレビジョン放送等を受信可能な携帯電話は、内蔵アンテナ又は組み込み式のロッドアンテナを使用して放送波を受信する。ここで内蔵アンテナは、携帯電話の配線パターン等をアンテナとして機能させる構成である。内蔵アンテナは、携帯電話のデザインを損なわない長所がある。しかしながら内蔵アンテナは、ロッドアンテナに比して感度が劣り、内部ノイズの影響を受け易い等の欠点がある。
【０００３】
組み込み式のロッドアンテナは、伸縮可能に又は折り畳み可能に携帯電話に組み込まれたロッドアンテナである。ロッドアンテナは、内蔵アンテナに比して感度等が優れる長所がある。しかしながらロッドアンテナは、携帯電話のデザインを損ない、さらにはアンテナが突出する等の欠点がある。特に、組み込み式の場合には、機械的構造が複雑になる欠点がある。
【０００４】
そこで近年、イヤホンを接続するコネクタを使用して、放送波の受信時のみ携帯電話に接続するイヤホンアンテナ、外部ロッドアンテナ等の外部アンテナが提供されている。ここでイヤホンアンテナは、例えば特開２００７−１０４５９１号公報に開示されているように、イヤホンのケーブルをアンテナとして使用するものである。外部アンテナは、携帯電話のデザインを損なうことなく、感度の劣化、内部ノイズの影響を防止することができる。
【特許文献１】特開２００７−１０４５９１号公報
【発明の開示】
【発明が解決しようとする課題】
【０００５】
しかしながら携帯電話のイヤホンを接続するコネクタは、可聴周波数帯域以下の信号伝送を目的としたコネクタである。従って外部アンテナを接続して使用する場合、高周波損失が増大し、十分な特性を確保できない問題がある。
【０００６】
この問題を解決する１つの方法として、高周波用のコネクタを介して外部アンテナを接続する方法が考えられる。しかしながらこの方法の場合、携帯電話におけるコネクタの数が増大し、携帯電話を小型化することが困難になる等の問題がある。
【０００７】
本発明は以上の点を考慮してなされたもので、イヤホンのコネクタ等を介して外部アンテナを接続する場合でも、十分な特性を確保することができる受信装置、アンテナ及び中継ケーブルを提案しようとするものである。
【課題を解決するための手段】
【０００８】
上記の課題を解決するため請求項１の発明は、受信装置に適用して、外部装置を接続するコネクタを有し、内蔵のチューナーにより所望の放送波を受信する本体装置と、前記コネクタを介して前記本体装置に接続され、前記コネクタのアンテナ入力端子を介して、アンテナとして機能する部位を前記チューナーのアンテナ入力端に接続する外部アンテナとを有する。前記本体装置は、前記コネクタのアース端子を接地する。前記外部アンテナは、前記アンテナ入力端子及び前記アース端子とは異なる端子と、前記アース端子との間に、前記アンテナ入力端子と前記アース端子との間のリアクタンスを調整するリアクタンス調整回路が設けられる。
【０００９】
また請求項４の発明は、アンテナに適用して、コネクタを介してチューナーを有する本体装置に接続され、前記コネクタのアンテナ入力端子を介して、アンテナとして機能する部位を前記チューナーのアンテナ入力端に接続する。前記コネクタのアース端子及び前記アンテナ入力端子とは異なる端子と、前記アース端子との間に、前記アンテナ入力端子と前記アース端子との間のリアクタンスを調整するリアクタンス調整回路が設けられる。
【００１０】
また請求項５の発明は、中継ケーブルに適用して、コネクタを介してチューナーを有する本体装置に一端が接続され、他端に外部アンテナが接続され、前記コネクタのアンテナ入力端子を介して、前記外部アンテナを前記チューナーのアンテナ入力端に接続する。前記コネクタのアース端子及び前記アンテナ入力端子とは異なる端子と、前記アース端子との間に、前記アンテナ入力端子と前記アース端子との間のリアクタンスを調整するリアクタンス調整回路が設けられる。
【００１１】
また請求項６の発明は、中継ケーブルに適用して、コネクタを介してチューナーを有する本体装置に一端が接続され、前記本体装置の信号及び又は電力を伝送し、前記コネクタのアンテナ入力端子を介して、アンテナとして機能する部位を前記チューナーのアンテナ入力端に接続する。前記コネクタのアース端子及び前記アンテナ入力端子とは異なる端子と、前記アース端子との間に、前記アンテナ入力端子と前記アース端子との間のリアクタンスを調整するリアクタンス調整回路が設けられる。
【００１２】
請求項１、請求項４、請求項５、又は請求項６の構成によれば、リアクタンス調整回路により、寄生容量、寄生インダクタンスによるアンテナ入力端子のリアクタンスを種々に調整することができる。従って寄生容量、寄生インダクタンスによる特性の劣化を防止することができる。
【発明の効果】
【００１３】
本発明によれば、イヤホンのコネクタ等を介して外部アンテナを接続する場合でも、十分な特性を確保することができる。
【発明を実施するための最良の形態】
【００１４】
以下、適宜図面を参照しながら本発明の実施の形態を詳述する。なお説明は、以下の順序で行う。
【００１５】
１．第１の実施の形態
２．第２の実施の形態
３．第３の実施の形態
４．第４の実施の形態
５．変形例
＜第１の実施の形態＞
〔実施の形態の構成〕
図２は、本発明の第１の実施の形態に係る受信システムを示す斜視図である。この受信システム１において、本体装置である携帯電話２は、放送波の受信機能、記録媒体に記録した音楽コンテンツの再生機能を有する携帯電話であり、側方にイヤホンを接続するジャック３が設けられる。受信システム１は、この携帯電話２のジャック３に、外部ロッドアンテナ４が接続される。
【００１６】
ここで外部ロッドアンテナ４は、図３に示すように、アンテナとして機能する棒状の導体であるアンテナ素子部５を有し、このアンテナ素子部５の一端にプラグ６が配置される。外部ロッドアンテナ４は、このプラグ６が携帯電話２のジャック３に接続されて携帯電話２に接続される。外部ロッドアンテナ４は、携帯電話２の受信周波数帯域のほぼ中心周波数において、アンテナ素子部５の長さがほぼ１／４波長の長さとなるように設定される。
【００１７】
これにより図４及び図５に示すように、受信システム１は、携帯電話２に設けられたチューナー８の受信周波数帯域で、外部ロッドアンテナ４を１／４波長のモノポールアンテナとして機能させ、携帯電話２に内蔵のチューナー８で所望の放送波を受信する。
【００１８】
ここで図６は、携帯電話２のジャック３の部位を詳細に示す斜視図である。ジャック３は、１０ピンの小型、偏平の多極コネクタであり、端子９Ａ〜９Ｊが長手方向に連続して配置され、これらの端子９Ａ〜９Ｊが密接して配置される。ジャック３は、各端子９Ａ〜９Ｊが背面側に突出して折れ曲がり、この折れ曲がった端子９Ａ〜９Ｊの先端を配線基板１０の対応する配線パターン１１Ａ、１１Ｂ、１１Ｃ、……に半田付けして配線基板１０に実装される。ここで配線基板１０には、ジャック３の付け根に、適宜、チップインダクタ１２Ａ、１２Ｂ、１２Ｃ、……による高周波遮断回路が設けられる。ここで高周波遮断回路は、イヤホンのケーブル等に誘起された高周波信号の携帯電話２への進入、携帯電話２の内部ノイズの外部への輻射を防止する。
【００１９】
図７は、外部ロッドアンテナ４のプラグ６の部位を詳細に示す分解斜視図である。プラグ６は、ジャック３に差し込む部位６Ａが断面矩形形状により形成され、ジャック３の各端子９Ａ〜９Ｊに対応する端子がこの部位６Ａの内側に配置される。プラグ６は、この部位６Ａの背面側が幅広に形成され、各端子の背面側が、この幅広に形成された部位より突出する。プラグ６は、この各端子の背面側に突出する部位が、配線基板１５のスルーホールに挿入されて半田付けされ、配線基板１５の配線パターンに接続される。またこの配線基板１５の所定の配線パターンが、導線Ｌを介してアンテナ素子部５に接続される。なおプラグ６は、チップインダクタ１６Ａ、１６Ｂによる高周波遮断回路が必要に応じてこの配線基板１５に設けられる。プラグ６は、この配線基板１５を配置した背面側が、導線Ｌ、アンテナ素子部５と共に樹脂によりモールディングされる。
【００２０】
図８は、ジャック３、プラグ６の各端子の接続をイヤホン２０を接続した場合を例に取って示す図である。なおこの以下において、ジャック３、プラグ６の各端子を数字１〜１０により示す。携帯電話２は、ジャック３、プラグ６の第４及び第５の端子４及び５が、右チャンネルオーディオ信号ＳＡＲ及び左チャンネルオーディオ信号ＳＡＬのホット側に割り当てられ、第１０の端子１０がグランドに割り当てられる。これにより携帯電話２は、ジャック３の第１０の端子１０を内部で接地し、また増幅回路２１Ｒ及び２１Ｌを介して右チャンネルオーディオ信号ＳＡＲ及び左チャンネルオーディオ信号ＳＡＬがジャック３の第４及び第５の端子４及び５に出力される。なお増幅回路２１Ｒ及び第４の端子４の間、増幅回路２１Ｌ及び第５の端子５の間には、それぞれチップインダクタによる高周波遮断回路２３Ｒ及び２３Ｌが配置される。
【００２１】
イヤホン２０は、プラグ６の第４及び第５の端子４及び５が、右チャンネル及び左チャンネルのスピーカ２２Ｒ及び２２Ｌのホット側に接続され、これらスピーカ２２Ｒ及び２２Ｌのコールド側がプラグ６の第１０の端子１０に接続される。
【００２２】
ジャック３、プラグ６の第３及び第６の端子３及び６は、ジャック３への外部機器の接続検出用に割り当てられる。携帯電話２は、高周波遮断回路２４を介して、ジャック３の第３の端子３が検知回路２６に入力され、高周波遮断回路２５を介して、ジャック３の第６の端子６が検知回路２７に入力される。携帯電話２は、検知回路２６及び２７で対応する端子３及び６の直流電位を検出してイヤホン２０等の外部機器の接続を検出する。またユーザーの操作に応動して、内蔵スピーカとジャック３とでオーディオ信号ＳＡＬ、ＳＡＲの出力を切り換える等の処理を実行する。また第１の端子１がアンテナ入力端子に割り当てられ、コンデンサ２８を介してチューナー８のアンテナ入力端に接続される。
【００２３】
イヤホン２０は、プラグ６の第３及び第６の端子３及び６が、配線基板１０上（図６）で第１０の端子に接続される。またプラグ６の第１の端子１が、残りの端子２、７〜９と共に、配線基板１０上の配線パターンにのみ接続されて、何れの部位にも接続されていない空き端子に設定される。
【００２４】
図１は、図８との対比により外部ロッドアンテナ４の接続を示す接続図である。外部ロッドアンテナ４は、プラグ６のアンテナ入力端子１に、アンテナ素子部５が接続され、リアクタンス調整回路３０を介して第３及び第６の端子３及び６が第１０の端子１０に接続される。また残りの端子２、７〜９が空き端子に設定される。ここでリアクタンス調整回路３０は、アンテナ入力端子１とアース端子１０との間のインピーダンスを調整する回路である。受信システム１では、図１との対比により図９に示すように、このリアクタンス調整回路３０にフェライトビーズによるインダクタ３１が適用され、第３及び第６の端子３及び６と第１０の端子１０との間を直流的に短絡する。また、チューナー８の受信周波数帯域では、第３及び第６の端子３及び６と第１０の端子１０との間をこのインダクタ３１によるインピーダンスにより短絡する。なおインダクタ３１は、ＵＨＦ帯域で約１〔ｋΩ〕のインピーダンスとなるように値が選定される。
【００２５】
〔実施の形態の動作〕
以上の構成において、この受信システム１では、イヤホン２０により音楽コンテンツを楽しむ場合には、イヤホン２０のプラグ６をジャック３に接続することにより（図２及び図８）、接続検出用の端子３、６の接地が携帯電話２で検出され、外部機器の接続が携帯電話２で検出される。またこの接続の検出によりユーザーがイヤホン２０へのオーディオ信号ＳＡＬ、ＳＡＲの出力を指示すると、ジャック３の端子４、５にオーディオ信号ＳＡＬ、ＳＡＲが出力される。これにより受信システム１では、イヤホン２０のスピーカ２２Ｌ、２２Ｒからオーディオ信号が再生されてユーザーに提供される。
【００２６】
これに対して外部アンテナにより放送波を受信する場合には、イヤホン２０を接続するジャック３に、イヤホン２０に代えて外部ロッドアンテナ４が接続される（図２〜図５）。これにより受信システム１では、外部ロッドアンテナ４のアンテナ素子部５に誘起された高周波信号がプラグ６のアンテナ入力端子１、ジャック３のアンテナ入力端子１を順次介して、携帯電話２に設けられたチューナー８のアンテナ入力端に入力される。これによりこの受信システム１では、内部のノイズの影響を受けることなく、十分な受信感度を確保して放送波を受信することができ、また携帯電話２のデザインの劣化を防止することができる。
【００２７】
しかしながらジャック３、プラグ６が、元々オーディオ信号の伝送を目的とした小型、偏平のコネクタであることから（図６及び図７）、可聴周波数に比して格段に周波数の高い放送波の周波数帯域では、放送波の伝送に十分な特性を確保することができない。その結果、何ら対策を講じることなく、外部ロッドアンテナ４を接続したのでは、十分な特性を確保することが困難になる。
【００２８】
すなわち図１との対比により図１０に示すように、ジャック３、プラグ６の端子間には、寄生容量Ｃ１、Ｃ２、Ｃ３等が存在し、また各端子には、配線パターンによる寄生インダクタンスＬ１、Ｌ２、Ｌ３等が存在する。これら寄生容量Ｃ１、Ｃ２、Ｃ３、寄生インダクタンスＬ１、Ｌ２、Ｌ３は、ジャック３、プラグ６が可聴周波数帯域以下の信号伝送を目的に構成された複数の端子を密接して配置した構成であることから、放送波の周波数帯域では無視し得ない。その結果、受信システム１では、放送波の周波数帯域で、利得の低下、特性インピーダンスの変動等を無視できなくなり、アンテナの特性が劣化することになる。
【００２９】
なお高周波特性を考慮して配線パターンを幅広に、短く作成する場合、寄生容量、寄生インダクタンスは小さくなり、これとは逆に高密度実装を目的に配線パターンを幅狭に、長く作成する場合に、寄生容量、寄生インダクタンスは大きくなる。従って配線パターンを密に作成して携帯電話における部品実装密度が高くなればなる程、アンテナの特性が劣化することになる。
【００３０】
具体的に、図１１は、インピーダンス調整回路３０を設けることなく、直接、端子３、６、１０を短絡した場合のアンテナ利得を示す図である。また図１２及び図１３は、この図１１の特性を詳細に示す図表である。なおこの図１１〜図１３は、図１との対比により図１４に示すように、携帯電話２側においてジャック３の端子３、６をオープンとし、長さ１２０〔ｍｍ〕のロッドアンテナ４５を、携帯電話２を想定したグランドサイズが８５×４５〔ｍｍ〕の評価基板に接続した例である。
【００３１】
この図１１〜図１３によれば、矢印Ａにより示すように、ＵＨＦ帯域の高域側でアンテナ利得が低下していることが判る。なお図１５及び図１６は、この図１１〜図１３との対比により定在波比を示す図である。なお図１５では、ＵＨＦ帯域における放送波の帯域を破線で示す。また図１６は、Ｓ１１の特性である。図１５によれば、ＵＨＦ帯域において共振周波数が２箇所で発生していることが判る。アンテナ長より、この２箇所の共振周波数のうちの５００〔ＭＨｚ〕側の共振周波数は、アンテナ素子部５によるものであり、周波数８００〔ＭＨｚ〕側の共振周波数は、寄生容量、寄生インダクタンスによるものである。
【００３２】
これに対して図１７〜図１９は、図１１〜図１３との対比により、携帯電話２側においてジャック３の端子３、６を短絡させ、２〔ｐＦ〕の容量により端子１０に接続した場合の特性を示す図である。この場合、矢印Ａにより示すアンテナ利得が低下する周波数帯域が、容量を増大させた分、低下していることが判る。なお図２０及び図２１は、図１５及び図１６との対比により、図１７〜図１９の例における定在波比を示す図である。
【００３３】
これに対して図２２〜図２４は、図１１〜図１３との対比により、携帯電話２側においてジャック３の端子３、６を短絡させ、４〔ｐＦ〕の容量により端子１０に接続した場合の特性を示す図である。この場合、矢印Ａにより示すアンテナ利得が低下する周波数帯域が、容量を増大させた分、さらに低下していることが判る。なお図２５及び図２６は、図１５及び図１６との対比により、図２２〜図２４の例における定在波比を示す図である。
【００３４】
これによりジャック３、プラグ６の寄生容量、寄生インダクタンスによりアンテナ利得が変動することが判る。すなわちこの場合、これらジャック３、プラグ６の寄生容量、寄生インダクタンスにより、外部ロッドアンテナ４側から見て、プラグ６のアンテナ入力端子にアンテナ特性を劣化させるインピーダンス回路が設けられていることになる。受信システム１では、このインピーダンス回路によりアンテナ特性が劣化することになる。
【００３５】
そこでこの実施の形態では、プラグ６において、アースの端子１０と所望の端子との間にリアクタンス調整回路を設け、このリアクタンス調整回路により寄生容量、寄生インダクタンスによるアンテナの特性劣化を防止する。より具体的に、リアクタンス調整回路にインダクタを適用する。またインダクタは、直流抵抗がほぼ０であることから、プラグ６において、アースに接地する端子３及び６とアースの端子１０との間にリアクタンス調整回路を配置する。
【００３６】
図２７〜図３１は、図１１〜図１３、図１５及び図１６との対比により、携帯電話２側においてジャック３の端子３、６をオープンとし、このリアクタンス調整回路３０を設けた場合を示す図である。なおリアクタンス調整回路３０は、フェライトビーズによるインダクタである。図２７〜図２９によれば、図１１〜図１３の対比により、リアクタンス調整回路３０を設けることにより、ＵＨＦ帯域の高域側におけるアンテナ利得の低下が改善され、ＵＨＦ帯域において、アンテナ利得の変動が低下していることが判る。また図３０及び図３１によれば、定在波比の周波数特性が単峰特性となり、寄生容量、寄生インダクタンスによる共振点がＵＨＦ帯域には存在しないことが判る。
【００３７】
これに対して図３２〜図３６及び図３７〜図４１は、図１７〜図２１及び図２２〜図２６との対比により、携帯電話２側においてジャック３の端子３、６を短絡させ、それぞれ２〔ｐＦ〕及び４〔ｐＦ〕の容量により端子１０と接続した場合において、リアクタンス調整回路３０を設けた場合を示す図である。図３２〜図３４及び図３７〜図３９によれば、それぞれ図１７〜図１９及び図２２〜図２４の対比により、この場合も、リアクタンス調整回路３０を設けることにより、ＵＨＦ帯域における局所的なアンテナ利得の低下が改善され、ＵＨＦ帯域におけるアンテナ利得の変動を低減できることが判る。
【００３８】
これらによりこの実施の形態では、イヤホンのコネクタを介して外部アンテナを接続する場合でも、十分な特性を確保することができる。
【００３９】
〔実施の形態の効果〕
以上の構成によれば、アンテナ入力端子及びアース端子とは異なる端子とアース端子との間に、アンテナ入力端子とアース端子との間のリアクタンスを調整するリアクタンス調整回路を設けることにより、イヤホンのコネクタ等を介して外部アンテナを接続する場合でも、十分な特性を確保することができる。
【００４０】
またこのリアクタンス調整回路を配置する端子を外部機器検出用端子とすることにより、外部機器検出用端子を有効に利用して十分な特性を確保することができる。
【００４１】
＜第２の実施の形態＞
図４２は、本発明の第２の実施の形態に係る受信システムを示す斜視図である。この受信システム４１は、携帯電話２に中継ケーブル４２が接続され、この中継ケーブル４２を介して携帯電話２を外部アンテナ４３に接続する。なおこの受信システム４１において、受信システム１と同一の構成は、対応する符号を付して示し、重複した説明は省略する。
【００４２】
ここで図４３に示すように、中継ケーブル４２は、同軸ケーブル４４の一端にプラグ６が配置され、プラグ６のアンテナ入力端子１及びアース端子１０（図１参照）に、同軸ケーブル４４の芯線及び被覆線がそれぞれ接続される。また同軸ケーブル４４の他端に、高周波同軸コネクタ４５が設けられ、外部アンテナ４３から延長する同軸ケーブル４７がこの高周波同軸コネクタ４５に接続される。
【００４３】
中継ケーブル４２は、第１の実施の形態の外部ロッドアンテナ４と同一に、プラグ６の接続検出用端子３及び６が短絡され、これら端子３及び６とアース端子１０との間に、インダクタによるリアクタンス調整回路３０が設けられる。これにより中継ケーブル４２は、外部アンテナ４３により受信した放送波の伝送損失を低減する。
【００４４】
図４４は、携帯電話２側において、ジャック３の端子３及び６をオープンに設定した場合の伝送損失を示す特性曲線図である。符号Ｌ１は、インダクタによるリアクタンス調整回路３０を配置し無い場合の特性であり、符号Ｌ２は、インダクタによるリアクタンス調整回路３０を配置した場合の特性である。
【００４５】
また図４５〜図４８は、図４４との対比により、携帯電話２側において、ジャック３の端子３及び６を短絡し、それぞれ容量２〔ｐＦ〕、４〔ｐＦ〕、１０〔ｐＦ〕、１０００〔ｐＦ〕の容量によりアース端子に接続した場合の特性曲線図である。これら図４４〜図４８によれば、リアクタンス調整回路３０を配置しない場合、伝送損失が局所的に劣化し、この局所的に劣化する周波数が寄生容量の増大により徐々に低下することが判る。またリアクタンス調整回路３０の配置により、この伝送損失の局所的な劣化を防止できることが判る。
【００４６】
この実施例によれば、外部アンテナを中継する中継ケーブルにおいて、伝送損失の劣化を防止することができる。
【００４７】
＜第３の実施の形態＞
図４９は、本発明の第３の実施の形態に係る受信システムを示す斜視図である。この受信システム５１は、中継ケーブル５２を介してイヤホン５３を携帯電話２に接続し、中継ケーブル５２により構成されるイヤホンアンテナにより放送波を受信する。
【００４８】
ここでイヤホン５３は、右チャンネルのスピーカ５４Ｒ及び左チャンネルのスピーカ５４Ｌから延長するケーブルが１本のケーブルにまとめられ、このケーブルの一端に３ピンのプラグ５５が接続される。
【００４９】
中継ケーブル５２は、図５０に詳細に示すように、多芯同軸ケーブル５６の一端にプラグ６が配置され、他端にイヤホン５３のプラグ５５を接続するジャック５７が配置される。ここで多芯同軸ケーブル５６は、図５１に示すように、複数の芯線ケーブルＬＬ、ＬＲ、ＬＧを被覆線ＳＳで被覆したケーブルである。この実施の形態では、芯線ケーブルの数が３本に設定され、３本の芯線ケーブルＬＬ、ＬＲ、ＬＧでオーディオ信号を伝送する。従って中継ケーブル５２は、この３本の芯線ケーブルＬＬ、ＬＲ、ＬＧの携帯電話２側端が、それぞれチップインダクタによる高周波遮断回路６１、６２、６３を介してプラグ６の第５、第４、第３の端子５、４、３に接続される。また芯線ケーブルＬＬ、ＬＲ、ＬＧのイヤホン５３側端が、それぞれジャック５７の対応する端子５７Ｌ、５７Ｒ、５７Ｇに接続される。
【００５０】
中継ケーブル５２は、被覆線ＳＳのイヤホン５３側端が何れの部位にも接続されない開放端とされ、被覆線ＳＳの携帯電話２側端がプラグ６のアンテナ入力端子１に接続される。これにより受信システム５１は、中継ケーブル５２の被覆線ＳＳに誘起された高周波信号により所望の放送波を受信する。
【００５１】
中継ケーブル５２は、プラグ６の第３及び第６の端子３及び６が短絡され、これらの端子３及び６がリアクタンス調整回路３０を介してアースの端子１０に接続される。これによりこの実施の形態では、被覆線ＳＳによるイヤホンアンテナの利得の劣化をリアクタンス調整回路３０により防止する。
【００５２】
すなわち図５２〜図５４は、この実施の形態によるアンテナの特性を示す図である。この図５２〜図５４によれば、局所的なアンテナ利得の低下が防止されていることが判る。なお図５５〜図５７は、図５２〜図５４との比較のために、中継ケーブルのみ接続した場合の特性を示す図である。
【００５３】
この実施の形態によれば、イヤホンアンテナにおいて、第１の実施の形態と同様の効果を得ることができる。
【００５４】
＜第４の実施の形態＞
図５８は、図４９との対比により本発明の第４の実施の形態に係る受信システムを示す斜視図である。この受信システム７１は、中継ケーブル７２を介してイヤホン５３を携帯電話７３に接続し、中継ケーブル７２により構成されるイヤホンアンテナにより放送波を受信する。
【００５５】
ここで携帯電話７３は、ジャック３のアンテナ入力端子１がチップインダクタによる高周波遮断回路７４で接地され、またコンデンサ７５を介してチューナー７６のアンテナ入力端に接続される。チューナー７６は、ディジタルテレビジョン放送及びＦＭ放送を受信可能なチューナーである。携帯電話７３は、このアンテナ入力端子１及びチューナー７６に関する構成が異なる点を除いて、第１の実施の形態の携帯電話２と同一に構成される。
【００５６】
中継ケーブル７２は、アースに割り当てられた芯線ケーブルＬＧのプラグ６側端が、被覆線ＳＳに接続されてアンテナ入力端子１に接続される。中継ケーブル７２は、この芯線ケーブルＬＧのプラグ６側端の構成が異なる点を除いて、第３の実施の形態の中継ケーブル５２と同一に構成される。
【００５７】
これによりこの受信システム７１では、ディジタルテレビジョン放送を受信する場合には、被覆線ＳＳがモノポールアンテナとして機能し、被覆線ＳＳに誘起された高周波信号がチューナー７６に入力される。これに対してＦＭ放送を受信する場合には、イヤホン５３のケーブルと中継ケーブル７２とがモノポールアンテナとして機能し、イヤホン５３のケーブルと中継ケーブル７２とに誘起された高周波信号がチューナー７６に入力される。これにより中継ケーブル７２は、イヤホンと共に２周波のアンテナを構成する。
【００５８】
この実施の形態では、イヤホンアンテナで２つの周波数帯域の放送波を受信する場合でも、第３の実施の形態と同様の効果を得ることができる。
＜変形例＞
なお上述の実施の形態においては、リアクタンス調整回路をインダクタにより構成する場合について述べたが、本発明はこれに限らず、コンデンサ、抵抗等により構成してもよく、インダクタ、コンデンサ、抵抗を組み合わせた回路により構成してもよい。なお抵抗によりリアクタンス調整回路を構成する場合には、抵抗のインダクタンス成分が機能してアンテナの特性を向上することになる。
【００５９】
また上述の第３及び第４の実施の形態においては、プラグ及びジャックを介して着脱可能にイヤホンを中継ケーブルに接続する場合について述べたが、本発明はこれに限らず、プラグ及びジャックを省略していわゆる作り付けによりイヤホンを中継ケーブルに接続する場合にも広く適用することができる。
【００６０】
また上述の第３及び第４の実施の形態においては、多芯同軸ケーブルにより中継ケーブルを構成する場合について述べたが、本発明はこれに限らず、平行線等により中継ケーブルを構成する場合にも広く適用することができる。
【００６１】
また上述の第３及び第４の実施の形態においては、中継ケーブルによりオーディオ信号を伝送する場合について述べたが、本発明はこれに限らず、オーディオ信号以外のアナログ信号、各種ディジタル信号、電力を伝送する場合にも広く適用することができる。
【００６２】
また上述の実施の形態においては、本発明を携帯電話に適用する場合について述べたが、本発明はこれに限らず、受信機能を有する携帯型音楽プレイヤーに本発明を適用する場合等、受信機能を有する各種の携帯型の装置に広く適用することができる。
【産業上の利用可能性】
【００６３】
本発明は、例えばディジタルテレビジョン放送等を受信可能な携帯電話に適用することができる。
【図面の簡単な説明】
【００６４】
【図１】本発明の第１の実施の形態に係る外部ロッドアンテナの接続を示す接続図である。
【図２】本発明の第１の実施の形態に係る受信システムを示す斜視図である。
【図３】図２の外部ロッドアンテナを示す平面図である。
【図４】図２の受信システムの説明に供するブロック図である。
【図５】図２の受信システムの説明に供する接続図である。
【図６】図２の携帯電話のジャックの部位を詳細に示す斜視図である。
【図７】図２の外部ロッドアンテナのプラグの部位を詳細に示す分解斜視図である。
【図８】図２の受信システムにおけるジャック、プラグの各端子の接続をイヤホンを接続した場合を例に取って示す接続図である。
【図９】リアクタンス調整回路を詳細に示す接続図である。
【図１０】寄生容量、寄生インダクタンスの説明に供する接続図である。
【図１１】リアクタンス調整回路を設けることなく、直接、端子３、６、１０を短絡した場合のアンテナ利得を示す特性曲線図である。
【図１２】図１１の特性曲線図における垂直偏波の特性を示す図表である。
【図１３】図１１の特性曲線図における水平偏波の特性を示す図表である。
【図１４】図１１〜図１３の特性の測定条件の説明に供する接続図である。
【図１５】図１１の特性曲線図の測定条件による定在波比を示す特性曲線図である。
【図１６】図１５の特性を示すスミスチャートである。
【図１７】２〔ｐＦ〕の容量により端子間を接続した場合の特性を示す特性曲線図である。
【図１８】図１７の特性曲線図における垂直偏波の特性を示す図表である。
【図１９】図１７の特性曲線図における水平偏波の特性を示す図表である。
【図２０】図１７の特性曲線図の測定条件による定在波比を示す特性曲線図である。
【図２１】図２０の特性を示すスミスチャートである。
【図２２】４〔ｐＦ〕の容量により端子間を接続した場合の特性を示す特性曲線図である。
【図２３】図２２の特性曲線図における垂直偏波の特性を示す図表である。
【図２４】図２２の特性曲線図における水平偏波の特性を示す図表である。
【図２５】図２２の特性曲線図の測定条件による定在波比を示す特性曲線図である。
【図２６】図２５の特性を示すスミスチャートである。
【図２７】図１１との対比によりリアクタンス調整回路を設けた場合を示す特性曲線図である。
【図２８】図２７の特性曲線図における垂直偏波の特性を示す図表である。
【図２９】図２７の特性曲線図における水平偏波の特性を示す図表である。
【図３０】図２７の特性曲線図の測定条件による定在波比を示す特性曲線図である。
【図３１】図３０の特性を示すスミスチャートである。
【図３２】図１７との対比によりリアクタンス調整回路を設けた場合を示す特性曲線図である。
【図３３】図３２の特性曲線図における垂直偏波の特性を示す図表である。
【図３４】図３２の特性曲線図における水平偏波の特性を示す図表である。
【図３５】図３２の特性曲線図の測定条件による定在波比を示す特性曲線図である。
【図３６】図３５の特性を示すスミスチャートである。
【図３７】図２２との対比によりリアクタンス調整回路を設けた場合を示す特性曲線図である。
【図３８】図３７の特性曲線図における垂直偏波の特性を示す図表である。
【図３９】図３７の特性曲線図における水平偏波の特性を示す図表である。
【図４０】図３７の特性曲線図の測定条件による定在波比を示す特性曲線図である。
【図４１】図４０の特性を示すスミスチャートである。
【図４２】本発明の第２の実施の形態に係る受信システムを示す斜視図である。
【図４３】図４２の受信システムにおける中継ケーブルを示す平面図である。
【図４４】携帯電話側において、ジャック３の端子３及び６をオープンとした場合の伝送損失を示す特性曲線図である。
【図４５】携帯電話側において、ジャック３の端子３及び６を容量２〔ｐＦ〕で接地した場合の伝送損失を示す特性曲線図である。
【図４６】携帯電話側において、ジャック３の端子３及び６を容量４〔ｐＦ〕で接地した場合の伝送損失を示す特性曲線図である。
【図４７】携帯電話側において、ジャック３の端子３及び６を容量１０〔ｐＦ〕で接地した場合の伝送損失を示す特性曲線図である。
【図４８】携帯電話側において、ジャック３の端子３及び６を容量１０００〔ｐＦ〕で接地した場合の伝送損失を示す特性曲線図である。
【図４９】本発明の第３の実施の形態に係る受信システムを示す斜視図である。
【図５０】図４９の受信システムにおける中継ケーブルを示す平面図である。
【図５１】図４９の受信システムの接続図である。
【図５２】図４９の受信システムにおけるアンテナ利得を示す特性曲線図である。
【図５３】図５２の特性曲線図における垂直偏波の特性を示す図表である。
【図５４】図５２の特性曲線図における水平偏波の特性を示す図表である。
【図５５】中継ケーブルのみ接続した場合のアンテナ利得を示す特性曲線図である。
【図５６】図５５の特性曲線図における垂直偏波の特性を示す図表である。
【図５７】図５５の特性曲線図における水平偏波の特性を示す図表である。
【図５８】本発明の第４の実施の形態に係る受信システムを示す接続図である。
【符号の説明】
【００６５】
１、４１、５１、７１……受信システム、２……携帯電話、３……ジャック、４……外部ロッドアンテナ、５……アンテナ素子部、６……プラグ、８、７６……チューナー、２０、５３……イヤホン、３０……インピーダンス調整回路、４２、５２、７２……中継ケーブル、４３……外部アンテナ、５６……多芯同軸ケーブル
【図１】
2010068169.tif 000003
【図２】
2010068169.tif 000004
【図３】
2010068169.tif 000005
【図４】
2010068169.tif 000006
【図５】
2010068169.tif 000007
【図６】
2010068169.tif 000008
【図７】
2010068169.tif 000009
【図８】
2010068169.tif 000010
【図９】
2010068169.tif 000011
【図１０】
2010068169.tif 000012
【図１１】
2010068169.tif 000013
【図１２】
2010068169.tif 000014
【図１３】
2010068169.tif 000015
【図１４】
2010068169.tif 000016
【図１５】
2010068169.tif 000017
【図１６】
2010068169.tif 000018
【図１７】
2010068169.tif 000019
【図１８】
2010068169.tif 000020
【図１９】
2010068169.tif 000021
【図２０】
2010068169.tif 000022
【図２１】
2010068169.tif 000023
【図２２】
2010068169.tif 000024
【図２３】
2010068169.tif 000025
【図２４】
2010068169.tif 000026
【図２５】
2010068169.tif 000027
【図２６】
2010068169.tif 000028
【図２７】
2010068169.tif 000029
【図２８】
2010068169.tif 000030
【図２９】
2010068169.tif 000031
【図３０】
2010068169.tif 000032
【図３１】
2010068169.tif 000033
【図３２】
2010068169.tif 000034
【図３３】
2010068169.tif 000035
【図３４】
2010068169.tif 000036
【図３５】
2010068169.tif 000037
【図３６】
2010068169.tif 000038
【図３７】
2010068169.tif 000039
【図３８】
2010068169.tif 000040
【図３９】
2010068169.tif 000041
【図４０】
2010068169.tif 000042
【図４１】
2010068169.tif 000043
【図４２】
2010068169.tif 000044
【図４３】
2010068169.tif 000045
【図４４】
2010068169.tif 000046
【図４５】
2010068169.tif 000047
【図４６】
2010068169.tif 000048
【図４７】
2010068169.tif 000049
【図４８】
2010068169.tif 000050
【図４９】
2010068169.tif 000051
【図５０】
2010068169.tif 000052
【図５１】
2010068169.tif 000053
【図５２】
2010068169.tif 000054
【図５３】
2010068169.tif 000055
【図５４】
2010068169.tif 000056
【図５５】
2010068169.tif 000057
【図５６】
2010068169.tif 000058
【図５７】
2010068169.tif 000059
【図５８】
2010068169.tif 000060